【手続補正書】
【提出日】平成18年8月25日(2006.8.25)
【手続補正１】
【補正対象書類名】特許請求の範囲
【補正対象項目名】全文
【補正方法】変更
【補正の内容】
【特許請求の範囲】
【請求項１】
環境を照明する方法であって、
前記環境内の複数の位置に配置された複数の発光体（２０２、２０４、２０８、２１０、３０２、３０４、３０８、５０２、５０４、５０８）の内の少なくとも１つの発光体（４０２）を制御するためのライティング制御信号を、制御システム（４０８）から生成すること、および
アドレスを有して、前記制御システムと前記少なくとも１つの発光体との間の双方向データインターフェイスを提供する、アドレス指定可能コネクタ（４０４）を介して、前記制御システムと前記少なくとも１つの発光体との間で通信すること、
を含み、前記少なくとも１つの発光体が前記アドレス指定可能コネクタに接続されているときに、前記少なくとも１つの発光体によって提供されるデータを使用して、前記ライティング制御信号を、アドレス指定制御信号として生成する、前記方法。
【請求項２】
環境を照明するシステムであって、
前記環境内の複数の位置に配置された複数の発光体（２０２、２０４、２０８、２１０、３０２、３０４、３０８、５０２、５０４、５０８）の内の少なくとも１つの発光体（４０２）を制御するためのライティング制御信号を生成する制御システム（４０８）、および
アドレスを有して、前記制御システムと前記少なくとも１つの発光体との間の双方向データインターフェイスを提供する、アドレス指定可能コネクタ、
を含み、前記少なくとも１つの発光体が前記アドレス指定可能コネクタに接続されているときに、前記双方向データインターフェイスを介して、前記少なくとも１つの発光体によって提供されるデータを使用して、前記ライティング制御信号が、アドレス指定制御信号として生成される、前記方法。
【請求項３】
コネクタは、先端および基端を有するケーブルであって、前記先端は少なくとも１つの発光体に近接し、前記コネクタのアドレスは、前記ケーブルの先端におけるアドレス機能によって提供される、請求項１に記載の方法または請求項２に記載のシステム。
【請求項４】
少なくとも１つの発光体をさらに含み、前記少なくとも１つの発光体は、モジュラー発光体システムを含み、コネクタは、前記モジュラー発光体システムを、それぞれ前記コネクタに差し込むこと、およびそこから引き抜くことを容易にするように構成されており、前記モジュラー発光体システムは、アドレス指定制御信号に応答する、請求項１に記載の方法または請求項２に記載のシステム。
【請求項５】
双方向データインターフェイスを介して制御システムが受け取るデータは、少なくとも１つの発光体からの過大電流または過小電流のフィードバックを含む、請求項１に記載の方法または請求項２に記載のシステム。
【請求項６】
データは、制御データ、温度データ、性能データ、性能履歴データ、光ヒストグラムデータ、輝度データ、色温度データ、オン／オフ状態データ、色データ、時間データ、合計オン時間データ、ライトショーデータ、ライティング効果データ、警報データ、メインテナンスデータ、電力使用データ、システム状態データ、顧客入力データ、広告データ、ブランド付与データ、通信データおよび熱履歴データからなる群から選択される、請求項１に記載の方法または請求項２に記載のシステム。
【請求項７】
環境が輸送環境である、請求項１に記載の方法または請求項２に記載のシステム。
【請求項８】
環境が航空機客室であって、制御システムは、該制御システムと別のシステムとのインターフェイスを含む、請求項７に記載の方法またはシステム。
【請求項９】
干渉信号の放出を最少にするために、ライティングシステムの要素をシールドする機能をさらに含む、請求項８に記載の方法またはシステム。
【請求項１０】
他方のシステムが、ステアリングシステム、ナビゲーションシステム、安全システム、センサシステム、警報システム、メインテナンスシステム、通信システムおよびエンターテイメントシステムの少なくとも１つである、請求項８に記載の方法またはシステム。
【請求項１１】
環境が複数の座席を含み、複数の発光体が前記座席の環境を照明するように配置されている、請求項１に記載の方法または請求項２に記載のシステム。
【請求項１２】
環境が廊下を含み、複数の発光体が前記廊下の天井および床の少なくとも一方を照明するように配置されている、請求項１に記載の方法または請求項２に記載のシステム。
【請求項１３】
少なくとも１つの発光体をさらに含み、該少なくとも１つの発光体は、アドレス指定制御信号に基づいて、白色光または非白色光の少なくとも一方を含む照明を提供するように構成されている、請求項１に記載の方法または請求項２に記載のシステム。
【請求項１４】
少なくとも１つの発光体が、赤色、緑色および青色の光源を含み、照明は白色光を含み、該白色光は、前記赤色、緑色および青色の光源によって生成される放射の組合せによって生成される、請求項１３に記載の方法またはシステム。
【請求項１５】
少なくとも１つの発光体が白色光源を含み、照明は白色光を含み、該白色光は、前記白色光源によって生成される、請求項１３に記載の方法またはシステム。
【請求項１６】
少なくとも１つの発光体が第２の光源を含み、白色光の色温度が、白色光源と前記第２の光源によって生成される放射を混合することによって決定される、請求項１５に記載の方法またはシステム。
【請求項１７】
第２の光源が、第１の白色光源と異なる色温度の第２の白色光源、琥珀色源、緑色源、赤色源、黄色源、橙色源、青色源、およびＵＶ源からなる群から選択される、請求項１６に記載の方法またはシステム。
【請求項１８】
少なくとも１つの発光体が、赤色、緑色、青色および白色のＬＥＤを含む、請求項１３に記載の方法またはシステム。
【請求項１９】
少なくとも１つの発光体が、赤色、緑色、青色、ＵＶ、琥珀色、橙色および白色のＬＥＤからなる群から選択されるＬＥＤを含む、請求項１３に記載の方法またはシステム。
【請求項２０】
白色ＬＥＤが、２以上の色温度の白色ＬＥＤを含む、請求項１９に記載の方法またはシステム。
【請求項２１】
少なくとも１つの発光体が、該少なくとも１つの発光体によって提供されるデータを生成する、オンボードインテリジェンスを含む、請求項１３に記載の方法またはシステム。
【請求項２２】
オンボードインテリジェンスによって生成されるデータが、少なくとも１つの発光体の部分的な故障または差し迫った故障を示す、請求項２１に記載の方法またはシステム。
【手続補正２】
【補正対象書類名】明細書
【補正対象項目名】００１４
【補正方法】変更
【補正の内容】
【００１４】
図２を参照すると、航空機１０４のインテリア客室１０２を示してある。その他のインテリア航空機環境と同様に、客室１０２は、複数の発光体を有するライティングシステムを含む。これらの発光体は、複数の天井発光体２０２、複数の座席２１０の周囲環境をライティングする座席発光体２０８、および床発光体２０４を含むことがある。
同様に、そのような環境は、ウインド発光体、ならびに壁、床、天井の上または環境内にあるその他の物体上の、様々な場所に配置された発光体を含むことがある。例えば、座席発光体２０８は、（読書などのために）乗客の前方位置を照明するか、または乗客の前方にある座席の背面上のディスプレイスクリーンなどのその他の領域を照明するために配置することができる。同様に、発光体は客室内のエンターテインメントスクリーンをライティングしたり、エンターテインメントコンテンツを強調するのに使用することもできる。
例えば、航空機システムは、１９９８年１２月１７日出願の米国特許出願番号０９／２１３５４８、「LIGHTING ENTERTAINMENT SYSTEM」；２００１年３月２２日出願の米国特許出願番号０９／８１５４１８、「LIGHTING ENTERTAINMENT SYSTEM」；２００１年１０月２３日出願の米国特許出願番号１０／０４５６０４、「SYSTEMS AND METHODS FOR DIGITAL ENTERTAINMENT」；２０００年１２月２０日出願の米国特許出願番号０９／７４２０１７号、「LIGHTING ENTERTAINMENTSYSTEM」に記載されているものと類似する、周辺発光体機能を備えることもできる。
【手続補正３】
【補正対象書類名】明細書
【補正対象項目名】００１５
【補正方法】変更
【補正の内容】
【００１５】
従来型航空機においては、図２のインテリア発光体は、（オン／オフ機能、およびおそらく限定された減光機能などの）最小の機能を備える（ハロゲン電灯などの）従来型の白色発光体であると考えられる。対照的に、本明細書において開示する方法およびシステムにおいては、発光体２０２、２０４、２０８ならびにその他任意の発光体または発光体システムは、白色の照明とともに、白以外の色の照明を提供することができる。すなわち、発光体２０２（または環境のインテリア内にあるその他任意の発光体または発光体システム）は、プロセッサまたはコンピュータ制御の下で、発光体２０２のオペレータによってプログラムされているとおりに、任意の色、任意の色温度で、任意の時間に、制御された照明および光の表示を提供することができる。
【手続補正４】
【補正対象書類名】明細書
【補正対象項目名】００１６
【補正方法】変更
【補正の内容】
【００１６】
例えば、発光体２０２は、ある時には白色モードで、別の時には非白色モードで動作させることができる。実際に、発光体２０２は、光源および制御要素を適当に構成することによって、任意の選択色を任意の時間に提供することができる。本明細書において教示される方法およびシステムは、多数の環境において使用することができる。そのような環境のいくつかの例が、１９９８年１２月１７日出願の米国特許出願第０９／２１５６２４号、「SMART LIGHT BULB」に記載されている。コンピュータ制御光源を使用することによって、オペレータは、航空機または類似の環境において、従来型システムでは提供することのできない照明特性を提供することができる。
【手続補正５】
【補正対象書類名】明細書
【補正対象項目名】００１８
【補正方法】変更
【補正の内容】
【００１８】
したがって、いくつかの態様においては、非白色源と同様に、同一または異なる色温度の白色ＬＥＤなどの１または２以上の白色光源を含めるのが望ましい。例えば、白色光は、赤、緑（または黄）および青の光源の組合せによるか、または白色光源によって生成することができる。白色光の色温度は、第２の光源からの光を混合することによって修正することができる。第２の光源は、異なる色温度の白色源、琥珀色源、緑色源、赤色源、黄色源、橙色源、青色源、またはＵＶ源などの光源とすることができる。態様によっては、発光体には、赤色、緑色、青色および白色のＬＥＤを含めることができる。その他の態様においては、白色、琥珀色、赤色、緑色および青色のＬＥＤを混合して、広範に利用可能な色および色温度を提供することができる。より一般的には、発光体には、任意の色の任意のＬＥＤ、または赤色、緑色、青色、ＵＶ，黄色、琥珀色、橙色および白色からなる群から選択されるＬＥＤなどの、色の組合せを含めることができる。白色ＬＥＤには、２以上の色温度またはその他の動作特性のＬＥＤを含めることができる。したがって、発光体２０２、２０４、２０８および（コクピット、洗面所、キッチンまたはサービスエリア照明用などの）その他のインテリア発光体は、異なる色の光源を含み、その結果、白以外の色、および白の異なる色温度を、要求に応じて生成できるようにするのが好ましい。
【手続補正６】
【補正対象書類名】明細書
【補正対象項目名】００３０
【補正方法】変更
【補正の内容】
【００３０】
制御システム４０８には、さらに、アルゴリズム機能４２４を含めてもよく、このアルゴリズム機能４２４とは、命令を処理するとともに、例えば、その命令に基づいてライティング制御を行う、利用可能な機能群の任意のものについての一般的名称である。例えば、制御システム４０８が発光体４０２からのデータを受け取る態様においては、制御システム４０８は、（例えば、アルゴリズム機能４２４で計算される発光体の全「オン」時間がその発光体の予測寿命に近づいているので）発光体４０２が故障寸前であることを判定することも可能であり、したがってメインテナンスシステムに、飛行機の次の着陸時にその発光体を交換するように信号で伝えることもできる。したがって、アルゴリズム機能４２４は、通信機能４２２が受け取る命令、データ機能４２０からのデータ、および事前プログラムされた命令に基づいて動作して、その結果、ユーザが望む任意の方法で、制御信号、メッセージ、およびその他の出力を生成することができる。例えば、アルゴリズム機能４２４は、システムの階層などの様々なデータ、またはどの制御信号を実際に発光体４０２に送出すべきかを決定する条件に基づいて様々なライティング制御信号に優先順位付けをすることができる。したがって警報信号が、エンターテイメント信号、その他に優先して割り込むことになる。
【手続補正７】
【補正対象書類名】明細書
【補正対象項目名】００３６
【補正方法】変更
【補正の内容】
【００３６】
態様によっては、コネクタ４０４は、先端および基端を有するケーブルであって、アドレスを提供する機能が、そのケーブルの先端に含まれる。コネクタ４０４は、モジュラー発光体システムのような発光体４０２を受け入れるように構成され、その結果、その特定の発光体が、その発光体が接続されているコネクタのアドレスにアドレス指定された制御信号に応答する。
本発明の原理によるシステムおよび方法は、モジュール式とするか、またはモジュール構成要素を備えてもよい。本明細書に引用する開示は、そのようなモジュラーシステムおよび構成要素の例を示す。
本発明の原理によるシステムは、その他の多くのシステムおよび方法によって制御することができる。本明細書に引用する開示は、そのようなシステムおよび方法の例を示す。